(57)【要約】折り畳み式携帯端末の筐体が開状態から閉状態に変化したときに時間のカウントを開始し、着信があったときにカウント中か否かを検出し、カウント中であった場合はカウント時間を取得して所定時間未満かを照合し、カウント中でなかった場合は表示部４、バックライト５の動作状態を検出し予め登録された動作状態と一致するかを照合する。前記カウント時間が所定時間未満であった場合、または、前記表示部４、バックライト５の動作状態が一致した場合に第１の音量で着信音を出力し、前記カウント時間が所定時間以上であった場合、または、前記表示部４、バックライト５の動作状態が一致しなかった場合に第２の音量で着信音を出力する。
2008065844.tif 000002
【特許請求の範囲】
【請求項１】
使用者に着信を通知するための通知出力手段を備える携帯端末において、携帯端末への着信に応答して通知出力手段が行う出力と、通知出力手段の種類とのうち、少なくとも一方を、携帯端末の動作状態に応じて定める決定手段を備えることを特徴とする携帯端末。
【請求項２】
請求項１に記載の携帯端末において、決定手段は、携帯端末の動作状態の少なくとも一部として、現に起動中の携帯端末の機能の種類を用いることを特徴とする携帯端末。
【請求項３】
請求項１及び２のいずれかに記載の携帯端末において、
更に、画像表示手段及びバックライトの少なくとも一方を備え、
決定手段は、携帯端末の動作状態の少なくとも一部として、画像表示手段及びバックライトの動作状態の少なくとも一方を用いる
ことを特徴とする携帯端末。
【請求項４】
請求項１乃至３のいずれかに記載の携帯端末において、決定手段の決定に従って第１の通知出力手段により出力を開始してから、予め定められた時間が経過するまでの間に、着信に対する応答操作の入力が当該携帯端末に対してなされない場合、第１の通知出力手段以外の通知出力手段である第２の通知出力手段により出力を行うことを特徴とする携帯端末。
【請求項５】
請求項１乃至４のいずれかに記載の携帯端末において、
携帯端末が予め定められた第１の動作状態に移行してからの経過時間を計測するカウンタを更に備え、
決定手段は、携帯端末の動作状態の少なくとも一部として、カウンタのカウンタ値を用いる
ことを特徴とする携帯端末。
【請求項６】
請求項５に記載の携帯端末において、
折り畳み式の携帯端末であって、
折り畳みの開閉の状態を検出する手段を備え、
第１の動作状態は折り畳みの閉状態である
ことを特徴とする携帯端末。
【請求項７】
請求項５及び６のいずれかに記載の携帯端末において、カウンタが計測を行っていないとき、決定手段は、携帯端末の動作状態として、カウンタのカウンタ値以外を用いることを特徴とする携帯端末。
【請求項８】
請求項５及び６のいずれかに記載の携帯端末において、カウンタが計測を行っていないとき、決定手段は、携帯端末の動作状態の少なくとも一部として、現に起動中の携帯端末の機能の種類を用いることを特徴とする携帯端末。
【請求項９】
請求項５及び６のいずれかに記載の携帯端末において、
更に、画像表示手段及びバックライトの少なくとも一方を備え、
カウンタが計測を行っていないとき、携帯端末の動作状態の少なくとも一部として、画像表示手段及びライトの動作状態の少なくとも一方を用いる
ことを特徴とする携帯端末。
【請求項１０】
請求項５乃至９のいずれかに記載の携帯端末において、当該携帯端末への着信に応じて、または、第１の動作状態から他の状態への移行に応じて、カウンタのカウンタ値をリセットすることを特徴とする携帯端末。
【請求項１１】
携帯端末への着信をその使用者に通知する方法において、携帯端末への着信に応じて行う携帯端末の使用者に対する通知の出力と、通知出力の種類とのうち、少なくとも一方を、携帯端末の動作状態に応じて定める決定段階を含むことを特徴とする着信通知方法。
【請求項１２】
請求項１１に記載の着信通知方法において、決定段階は、携帯端末の動作状態の少なくとも一部として、現に起動中の携帯端末の機能の種類を用いることを特徴とする着信通知方法。
【請求項１３】
請求項１１及び１２のいずれかに記載の着信通知方法において、決定段階は、携帯端末の動作状態の少なくとも一部として、画像表示手段及びバックライトの動作状態の少なくとも一方を用いることを特徴とする着信通知方法。
【請求項１４】
請求項１１乃至１３のいずれかに記載の着信通知方法において、決定段階での決定に従って第１の通知出力手段により出力を開始してから、予め定められた時間が経過するまでの間に、着信に対する応答操作の入力が当該携帯端末に対してなされない場合、第１の通知出力手段以外の通知出力手段である第２の通知出力手段により出力を行うことを特徴とする着信通知方法。
【請求項１５】
請求項１１乃至１４のいずれかに記載の着信通知方法において、決定段階は、携帯端末の動作状態の少なくとも一部として、携帯端末が予め定められた第１の動作状態に移行してからの経過時間を用いることを特徴とする着信通知方法。
【請求項１６】
請求項１５に記載の着信通知方法において、
携帯端末は折り畳み式であって、
第１の動作状態は折り畳みの閉状態である
ことを特徴とする着信通知方法。
【請求項１７】
請求項１５及び１６のいずれかに記載の着信通知方法において、前記経過時間を計測していないとき、決定段階は、携帯端末の動作状態として、前記経過時間以外を用いることを特徴とする着信通知方法。
【請求項１８】
請求項１５及び１６のいずれかに記載の着信通知方法において、前記経過時間を計測していないとき、決定段階は、携帯端末の動作状態の少なくとも一部として、現に起動中の携帯端末の機能の種類を用いることを特徴とする着信通知方法。
【請求項１９】
請求項１５及び１６のいずれかに記載の着信通知方法において、前記経過時間を計測していないとき、携帯端末の動作状態の少なくとも一部として、画像表示手段及びライトの動作状態の少なくとも一方を用いることを特徴とする着信通知方法。
【請求項２０】
請求項１５乃至１９のいずれかに記載の着信通知方法において、当該携帯端末への着信に応じて、または、第１の動作状態から他の状態への移行に応じて、前記経過時間をリセットすることを特徴とする着信通知方法。
【請求項２１】
使用者に着信を通知するための通知出力手段を備える携帯端末の制御装置にて実行されるコンピュータプログラムにおいて、携帯端末への着信に応答して通知出力手段が行う出力と、通知出力手段の種類とのうち、少なくとも一方を、携帯端末の動作状態に応じて定める決定手段として制御装置を機能させることを特徴とするコンピュータプログラム。
【請求項２２】
請求項２１に記載のコンピュータプログラムにおいて、
予め定められた第１の動作状態に移行してからの経過時間を計測するカウンタを更に備える携帯端末の制御装置にて実行されるコンピュータプログラムであって、
決定手段は、携帯端末の動作状態の少なくとも一部として、カウンタのカウンタ値を用いる
ことを特徴とするコンピュータプログラム。
【発明の詳細な説明】
【技術分野】
【０００１】
本発明は、携帯電話機等の携帯端末に関し、特に着信時の着信音量制御や着信通知手段の切替制御に関する。
【背景技術】
【０００２】
携帯端末における着信音量制御に関連した技術は、例えば、特開２００６−４２０７７号公報（以下特許文献１と記す）の段落「００４８」〜「００５１」、「００５６」〜「００６１」、図１等に記載されている。この特許文献１においては、
・折り畳み式携帯端末において、着信時に携帯端末が折り畳まれているか開かれているかの開閉状態を検出し、
・閉状態であった場合は、ユーザ設定音量値で着信音を出力し、
・開状態であった場合は、ユーザ設定音量値が予め定めた最大許容値以下かをチェックし、そうであった場合はユーザ設定音量値で着信音を出力し、そうでなかった場合は、最大許容値に近い音量値で出力する、
ことが開示されている。
また、
・着信時に、通話中や音声メモ再生中の動作状態であるかをチェックし、
・通話中や音声メモ再生中の動作状態であった場合は、そうでない場合に比べ小さい着信音量で出力する、
ことが開示されている。
【発明の開示】
【発明が解決しようとする課題】
【０００３】
上述した特許文献１においては、着信時に携帯端末が開かれているか閉じられているかによって着信音量を制御しており、閉じられてどの位の時間が経過しているかといったことについては考慮されていない。このため、閉じた直後（例えば、３秒後）に着信があったような場合でも、閉じてある程度の時間（例えば、１０分）経過後に着信があった場合でも、同じ着信音量値となってしまう。閉じてある程度の時間（例えば、１０分）経過後に着信があった場合は、ユーザは携帯端末を使用しておらず手に持った状態でないと判断されるため、気づかせるためにある程度大きい着信音量で出力する必要がある。しかし、閉じた直後に着信があった場合は、携帯端末はまだユーザの手に持たれた状態であると想定されるため、小さい着信音量で充分通知可能である。特許文献１においては、以上述べたように、携帯端末が閉じられてどの位時間が経過しているかを監視し、それに応じた着信音量制御を行うという点についての言及はない。
また、上述した特許文献１においては、着信時に通話中や音声メモ再生中の動作状態をチェックし、チェック結果に応じた着信音量制御は記載されている。しかし、通話中や音声メモ再生中の動作に限定されず、携帯端末における全般的な操作の有無に応じた着信音量制御（例えば、表示部やバックライト等の状態チェックによる操作状態の検出や、それに応じた着信音量制御等）については言及されていない。
本発明の目的は、以上の課題を解決する携帯端末、携帯端末の着信通知方法およびプログラムを提供することにある。
【課題を解決するための手段】
【０００４】
上述の課題を解決するため、本発明は、その一態様として、使用者に着信を通知するための通知出力手段を備える携帯端末において、携帯端末への着信に応答して通知出力手段が行う出力と、通知出力手段の種類とのうち、少なくとも一方を、携帯端末の動作状態に応じて定める決定手段を備えることを特徴とする携帯端末を提供する。
また、本発明は、他の態様として、携帯端末への着信をその使用者に通知する方法において、携帯端末への着信に応じて行う携帯端末の使用者に対する通知の出力と、通知出力の種類とのうち、少なくとも一方を、携帯端末の動作状態に応じて定める決定段階を含むことを特徴とする着信通知方法を提供する。
更に、本発明は、他の態様として、使用者に着信を通知するための通知出力手段を備える携帯端末の制御装置にて実行されるコンピュータプログラムにおいて、携帯端末への着信に応答して通知出力手段が行う出力と、通知出力手段の種類とのうち、少なくとも一方を、携帯端末の動作状態に応じて定める決定手段として制御装置を機能させることを特徴とするコンピュータプログラムを提供する。
決定手段又は決定段階は、通知出力手段が行う出力を定めるが、ここで定める出力とは出力の大きさや内容を指す。出力の大きさとは例えば着信音のボリュームや、バイブレータの振動の強弱であり、出力の内容とは例えば着信音の種類や表示装置にて表示する表示内容である。
【発明の効果】
【０００５】
本発明においては、携帯端末を折り畳んだ直後や操作時等のようにユーザが携帯端末を保持している状態において着信があった場合に、着信音の音量変更を行ったり着信音の代わりにバイブレータを動作させたりするようにしている。これにより、ユーザが携帯端末を保持している状態において着信があった場合に、必要以上に過大な音量で着信音を鳴動させることなくユーザに着信を通知することができるという効果が得られる。
【図面の簡単な説明】
【０００６】
図１は本発明の第１の実施例における携帯端末の構成を示す図である。
図２は本発明の第１の実施例の動作を示すフローチャートである。
図３は本発明の第２の実施例の動作を示すフローチャートである。
図４は本発明の第３の実施例の動作を示すフローチャートである。
図５は本発明の第４の実施例の動作を示すフローチャートである。
図６は本発明の第５の実施例における携帯端末の構成を示す図である。
図７は本発明の第５の実施例の動作を示すフローチャートである。
【発明を実施するための最良の形態】
【０００７】
実施例に基づいて本発明について図面を参照して詳細に説明する。
図１は、本発明の第１の実施例における携帯端末の構成を示す図である。本発明の携帯端末は、携帯電話機、ＰＨＳ（Ｐｅｒｓｏｎａｌ  Ｈａｎｄｙｐｈｏｎｅ  Ｓｙｓｔｅｍ）等の携帯通信端末であり、本実施例における携帯端末は折り畳み式携帯端末を想定している。図１を参照すると、この携帯端末は、無線部１と、アンテナ２と、操作部３と、表示部４と、バックライト５と、記憶部６と、開閉検出部７と、スピーカ８と、レシーバ９と、カウンタ１０と、電源部１１と、制御部１２とを備えている。
無線部１は図示しない基地局との間でアンテナ２を介して無線信号の送受信を行う通信装置であり、操作部３はテンキー、機能キー、ポインティングデバイス等の入力装置である。表示部４はＬＣＤ（Ｌｉｑｕｉｄ  Ｃｒｙｓｔａｌ  Ｄｉｓｐｌａｙ）等の表示装置である。バックライト５は発光ダイオード等の光源により照光する照明装置であり、操作部３や表示部４を照光する。
記憶部６は制御部１２の動作を制御するプログラムや制御部１２のワークエリア、各種データ等が格納されている記憶装置である。この記憶部６には、着信音の音量値を指定する標準音量値、操作時音量値と、携帯端末閉状態継続時間閾値とが予め格納されている。標準音量値とは、ユーザが携帯端末を操作していない状態で着信があった場合における着信音の音量値であり、ユーザに気づかせるために操作時音量値に比べると大きい音量値に設定される。操作時音量値とは、ユーザが携帯端末を操作している状態で着信があった場合における着信音の音量値であり、ユーザの手に携帯端末が持たれている状態であることから小さい音量値で充分であるため、標準音量値に比べると小さい音量値に設定される。なお、携帯端末が閉じられた直後（閉じられた時点から携帯端末閉状態継続時間閾値未満）は、まだユーザが携帯端末を保持していると想定されるため、操作をしていなくても操作時と見なして操作時音量値により着信音を出力する。携帯端末閉状態継続時間閾値とは、携帯端末が閉じられた時点から何秒未満を操作中または携帯端末保持状態と見なすかを決定する時間であり、例えば、３秒である。これら標準音量値、操作時音量値、携帯端末閉状態継続時間閾値はユーザがメニュー画面等から選択して設定するようにしてもよいし、携帯端末業者が予め設定しておいてもよい。
開閉検出部７は折り畳み式携帯端末の筐体の開閉状態を検出する機能を備えている。この開閉検出部７の例としては、例えば、特開２００２−１２５０２５号公報に磁石と磁気センサを用いたものが、また、特開２００１−２２４７２号公報に発光部、受光部によるものが開示されている。本発明は開閉検出手段には限定されず、また、検出方法の詳細を説明するのが主旨でもないため、これ以上の説明は省略する。スピーカ８は着信音等を出力する出力部であり、レシーバ９は通話中の相手の音声を出力する。カウンタ１０はクロックを元に経過時間のカウントを行う機能を備え、電源部１１は携帯端末内の各部に電源を供給する電池を備えている。
制御部１２は携帯端末全体の制御を行うＣＰＵ（Ｃｅｎｔｒａｌ  Ｐｒｏｃｅｓｓｉｎｇ  Ｕｎｉｔ）等の制御装置であり、プログラムにより動作を制御される。この制御部１２は、
・標準音量値、操作時音量値、携帯端末閉状態継続時間閾値を予め記憶部６に設定する手段と、
・携帯端末が折り畳まれた閉状態になったときに、カウンタ１０による経過時間のカウントを開始する手段と、
・着信時に、カウンタ１０によるカウント値が所定値（携帯端末閉状態継続時間閾値）未満かを照合する手段と、
・所定値未満であった場合に、操作時音量値を記憶部６から取得し、着信音を操作時音量値になるように増幅してスピーカ８へ送出する手段と、
・所定値未満でなかった場合に、標準音量値を記憶部６から取得し、着信音を標準音量値になるように増幅してスピーカ８へ送出する手段と、
を備えている。
次に、本発明の第１の実施例の動作について図１および図２を参照して説明する。なお、図２は、本発明の第１の実施例の動作を示すフローチャートである。
図２を参照すると、開閉検出部７は携帯端末の開閉状態を検出しており、携帯端末が折り畳まれると（換言すると、携帯端末が開状態から閉状態に変化すると）、その旨を制御部１２に通知する（ステップＡ１）。通知を受けた制御部１２はカウンタ１０に対してカウント開始を指示し、カウンタ１０はカウントを開始する（ステップＡ２）。その後、着信があると（ステップＡ３）、制御部１２はその時点のカウンタ１０のカウント値を取得し、カウンタ１０に対してカウント終了を指示する。カウンタ１０は制御部１２の指示を受けてカウントを終了し、カウント値をリセットする（ステップＡ４）。なお、図示していないが、ステップＡ２でカウントを開始した後、着信がない状態で携帯端末が開かれた場合（閉状態から開状態に変化した場合）も、制御部１２はカウンタ１０に対してカウント終了を指示する。カウンタ１０は制御部１２の指示を受けてカウントを終了し、カウント値をリセットする。
次に、制御部１２は記憶部６に格納された携帯端末閉状態継続時間閾値を取得し、ステップＡ４で取得したカウント値と照合する（ステップＡ５）。照合の結果、カウント値が携帯端末閉状態継続時間閾値未満であった場合は、着信音を操作時音量値で鳴動させる。詳細には、制御部１２は記憶部６に格納された操作時音量値を選択、取得し、着信音を操作時音量値になるように増幅してスピーカ８に送出し、スピーカ８は受信した着信音を出力する（ステップＡ６）。照合の結果、カウント値が携帯端末閉状態継続時間閾値未満でなかった場合は、着信音を標準音量値で鳴動させる。詳細には、制御部１２は記憶部６に格納された標準音量値を選択、取得し、着信音を標準音量値になるように増幅してスピーカ８に送出し、スピーカ８は受信した着信音を出力する（ステップＡ７）。
その後、ユーザが操作部３において応答操作を行うか（ステップＡ８）、送信元の切断操作等により接続が切断されると（ステップＡ９）、制御部１２はスピーカ８からの着信音の鳴動を停止させる（ステップＡ１０）。
以上説明したように、本実施例においては、携帯端末が閉じられた直後の所定時間内に着信があった場合は、標準音量値より小さい操作時音量値で着信音を鳴動させるようにしている。これにより、操作中でなくてもユーザが携帯端末を保持している状態で着信があった場合に、必要以上に過大な音量による着信音鳴動を防止することができ、ひいては聴覚への悪影響も予防できるという効果が得られる。
次に、本発明の第２の実施例について説明する。
本実施例は、表示部４の表示のＯＮ、ＯＦＦ状態やバックライト５の点灯状態を基に携帯端末が操作中か否かを判断し、操作中か否かに応じて着信音の音量値を変更して鳴動させることを特徴としている。本実施例における携帯端末は折り畳み式携帯端末に限定されないため、第１の実施例における携帯端末の構成（図１）に比べ開閉検出部７が不要となる。
次に、本発明の第２の実施例の動作について図１および図３を参照して説明する。なお、図３は、本発明の第２の実施例の動作を示すフローチャートである。
図３を参照すると、着信があると（ステップＢ１）、制御部１２は、表示部４の表示のＯＮ、ＯＦＦ状態やバックライト５の点灯、消灯状態を確認し、これらを基に携帯端末が操作状態か否かを判断する。携帯端末は消費電力の節減のために、使用していない場合（操作していない場合）は表示部４やバックライト５をＯＦＦ状態にする節電制御を通常行っている。そして、操作状態においては、例えば、表示部４の表示をＯＮ状態にするとともにバックライト５を点灯する、また、表示部４の表示はＯＮ状態にするがバックライト５は周囲が暗い場合のみ点灯する等、の制御を行っている。このように、操作状態における表示部４とバックライト５の制御は携帯端末によって必ずしも同じではないため、各携帯端末において、記憶部６に操作状態における表示部４、バックライト５の動作状態を設定しておくものとする。制御部１２は、着信時に確認した表示部４の表示のＯＮ、ＯＦＦ状態やバックライト５の点灯、消灯状態と、記憶部６に格納された操作状態における表示部４、バックライト５の動作状態とを照合することにより、携帯端末が操作中か否かを判断する（ステップＢ２）。
着信時における携帯端末の状態が操作中であった場合、制御部１２は記憶部６に格納された操作時音量値を選択、取得し、着信音を操作時音量値になるように増幅してスピーカ８に送出し、スピーカ８は受信した着信音を出力する（ステップＢ３→ステップＢ４）。着信時における携帯端末の状態が操作中でなかった場合は、制御部１２は記憶部６に格納された標準音量値を選択、取得し、着信音を標準音量値になるように増幅してスピーカ８に送出し、スピーカ８は受信した着信音を出力する（ステップＢ３→ステップＢ５）。その後、ユーザが操作部３において応答操作を行うか（ステップＢ６）、送信元の切断操作等により接続が切断されると（ステップＢ７）、制御部１２はスピーカ８からの着信音の鳴動を停止させる（ステップＢ８）。
以上説明したように、本実施例においては、着信時に表示部４やバックライト５の状態を照合することにより操作中か否かを判別し、操作中の場合は標準音量値より小さい操作時音量値で着信音を鳴動させるようにしている。これにより、ユーザが携帯端末を操作している状態で着信があった場合に、必要以上に過大な音量による着信音鳴動を防止することができ、ひいては聴覚への悪影響も予防できるという効果が得られる。
次に、本発明の第３の実施例について説明する。
本実施例は、第１の実施例と第２の実施例を組み合わせたことを特徴としている。本実施例における携帯端末の構成は、図１（第１の実施例における携帯端末の構成）と同じである。
次に、本発明の第３の実施例の動作について図１および図４を参照して説明する。なお、図４は、本発明の第３の実施例の動作を示すフローチャートである。
図４を参照すると、開閉検出部７は携帯端末の開閉状態を検出しており、携帯端末が折り畳まれると（換言すると、携帯端末が開状態から閉状態に変化すると）、その旨を制御部１２に通知する。それ以外の場合（開状態から閉状態への変化がない場合）はステップＣ３に進む（ステップＣ１）。通知を受けた制御部１２はカウンタ１０に対してカウント開始を指示し、カウンタ１０はカウントを開始する（ステップＣ２）。その後、着信があると（ステップＣ３）、制御部１２はカウンタ１０によるカウントがなされているかを確認する（ステップＣ４）。カウントがなされていた場合は、制御部１２はその時点のカウンタ１０のカウント値を取得し、カウンタ１０に対してカウント終了を指示する。カウンタ１０は制御部１２の指示を受けてカウントを終了し、カウント値をリセットする（ステップＣ５）。なお、図示していないが、ステップＡ２でカウントを開始した後、着信がない状態で携帯端末が開かれた場合（閉状態から開状態に変化した場合）も、制御部１２はカウンタ１０に対してカウント終了を指示する。カウンタ１０は制御部１２の指示を受けてカウントを終了し、カウント値をリセットする。
次に、制御部１２は記憶部６に格納された携帯端末閉状態継続時間閾値を取得し、ステップＣ５で取得したカウント値と照合する（ステップＣ６）。照合の結果、カウント値が携帯端末閉状態継続時間閾値未満であった場合は、着信音を操作時音量値で鳴動させる。詳細には、制御部１２は記憶部６に格納された操作時音量値を選択、取得し、着信音を操作時音量値になるように増幅してスピーカ８に送出し、スピーカ８は受信した着信音を出力する（ステップＣ７）。照合の結果、カウント値が携帯端末閉状態継続時間閾値未満でなかった場合は、着信音を標準音量値で鳴動させる。詳細には、制御部１２は記憶部６に格納された標準音量値を選択、取得し、着信音を標準音量値になるように増幅してスピーカ８に送出し、スピーカ８は受信した着信音を出力する（ステップＣ８）。
ステップＣ４において、カウンタ１０によるカウントがなされていなかった場合は、制御部１２は表示部４の表示のＯＮ、ＯＦＦ状態やバックライト５の点灯、消灯状態を確認し、これらを基に携帯端末が操作中か否かを判断する。詳細には、制御部１２は、着信時に確認した表示部４の表示のＯＮ、ＯＦＦ状態やバックライト５の点灯、消灯状態と、記憶部６に予め格納された操作中の表示部４、バックライト５の状態とを照合することにより、操作中か否かを判断する（ステップＣ９）。着信時における携帯端末の状態が操作中であった場合、制御部１２は記憶部６に格納された操作時音量値を選択、取得し、着信音を操作時音量値になるように増幅してスピーカ８に送出し、スピーカ８は受信した着信音を出力する（ステップＣ１０→ステップＣ７）。着信時における携帯端末の状態が操作中でなかった場合は、制御部１２は記憶部６に格納された標準音量値を選択、取得し、着信音を標準音量値になるように増幅してスピーカ８に送出し、スピーカ８は受信した着信音を出力する（ステップＣ１０→ステップＣ８）。その後、ユーザが操作部３において応答操作を行うか（ステップＣ１１）、送信元の切断操作等により接続が切断されると（ステップＣ１２）、制御部１２はスピーカ８からの着信音の鳴動を停止させる（ステップＣ１３）。
以上説明したように、本実施例は第１、第２の両方の実施例を含んでいる。これにより、携帯端末が閉じられた直後の所定時間内に着信があった場合（非操作中であるが保持状態）や、操作中に着信があった場合のいずれの場合においても、必要以上に過大な音量による着信音鳴動を防止することができるという効果が得られる。
次に、本発明の第４の実施例について説明する。
本実施例は、第１の実施例に対して、着信時に特定の機能が起動しているか否かによって着信音量を変更する手段をさらに追加した点を特徴としている。ここで、特定の機能とは、例えば、音楽再生機能、動画再生機能等であり、予め記憶部６に登録しておくものとする。本実施例における携帯端末の構成は、図１（第１の実施例における携帯端末の構成）と同じである。
次に、本発明の第４の実施例の動作について図１、図４および図５を参照して説明する。なお、図５は、本発明の第４の実施例の動作を示すフローチャートである。
図５を参照すると、ステップＤ１〜ステップＤ８、ステップＤ１０〜ステップＤ１２は、図４（第３の実施例）のステップＣ１〜ステップＣ８、ステップＣ１１〜ステップＣ１３と同じであるため説明を省略し、以下にステップＤ９について説明する。ステップＤ４において、カウンタ１０によるカウントがなされていなかった場合、制御部１２は携帯端末において起動されている機能を検出し、記憶部６に予め登録された機能と一致するかを照合する（ステップＤ９）。この後、一致した場合は操作時音量値で、一致しなかった場合は標準音量値で着信音を鳴動させる（ステップＤ９→ステップＤ７、Ｄ８）。
以上説明したように、本実施例においては、第１の実施例に加え、音楽再生時等の特定機能起動時に着信音量制御を行うようにしている。これにより、音楽再生時等のように携帯端末とユーザの耳の距離が近いときに、必要以上に過大な音量による着信音鳴動を防止することができるという効果がさらに得られる。
次に、本発明の第５の実施例について図２、図６および図７を参照して説明する。なお、図６は本発明の第５の実施例における携帯端末の構成を示す図であり、図７は本発明の第５の実施例の動作を示すフローチャートである。
本実施例における携帯端末の構成は、図１（第１の実施例における携帯端末の構成）に比べ、図６に示すように、振動することにより着信を表示するバイブレータ１３を追加した点のみ異なっている。
次に、本発明の第５の実施例の動作について説明する。
図７を参照すると、ステップＥ１〜ステップＥ５は、図２（第１の実施例）のステップＡ１〜ステップＡ５と同じであるため説明を省略し、以下にステップＥ６〜ステップＥ１２について説明する。
ステップＥ５においてカウント値が携帯端末閉状態継続時間閾値未満でなかった場合は、制御部１２はスピーカ８から着信音を鳴動させる（ステップＥ５→ステップＥ１０）。ステップＥ５において、カウント値が携帯端末閉状態継続時間閾値未満であった場合は、制御部１２は着信表示としてバイブレータ１３を動作させる（ステップＥ５→ステップＥ６）。そして、所定時間内（例えば、３０秒）にユーザが操作部３から応答操作を行うと、制御部１２はバイブレータ１３の動作を停止させる（ステップＥ７→ステップＥ８）。所定時間内に応答操作が行われなかった場合は、制御部１２は着信状態が継続しているか（送信元の切断操作等により接続が切断されていないか）を確認する（ステップＥ７→ステップＥ９）。送信元の切断操作等により接続が切断されていた場合は、制御部１２はバイブレータ１３の動作を停止させる（ステップＥ９→ステップＥ８）。ステップＥ９において接続が切断されていなかった場合は、制御部１２はバイブレータ１３の動作を停止させ、スピーカ８から着信音を鳴動させる。本実施例においては、第１〜第４の実施例と違い、着信音の音量値は標準音量値の１種類だけでよく、操作時音量値は不要である（ステップＥ１０）。この後、ユーザが操作部３において応答操作を行うか、送信元の切断操作等により接続が切断されると（ステップＥ１１）、制御部１２はスピーカ８からの着信音の鳴動を停止させる（ステップＥ１２）。
以上、図７を用いて、第１の実施例における操作時音量値の着信音鳴動の代わりにバイブレータ１３を動作させ、一定時間内に応答操作がなかった場合は着信音鳴動に切り替えることを本実施例の特徴として説明した。しかし、以上述べた本実施例の特徴は第１の実施例への適用に限定されず、第２〜第４の実施例に対しても同様に適用可能である。
以上説明したように、本実施例においては、携帯端末を保持、操作している状態で着信があった場合に、第１〜第４の実施例における操作時音量値の着信音の代わりにバイブレータ１３の振動で通知するようにしている。これにより、第１〜第４の実施例に比べ、着信音を鳴動させることなく着信を通知することができるという効果が得られる。
また、本実施例においては、バイブレータ１３が動作してから一定時間内に応答がなかった場合は着信音鳴動に切り替えるようにしているため、ユーザがバイブレータ１３の動作に気づかなかった場合でも二重に着信を通知できるという効果が得られる。
本発明を実施例に即して説明したが、本発明はこれら実施例に限定されるものではなく、請求の範囲の技術的範囲内において変更可能であることはいうまでもない。
本発明では、決定手段は、携帯端末の動作状態の少なくとも一部として、現に起動中の携帯端末の機能の種類を用いることとしてもよい。
また、本発明では、更に、画像表示手段及びバックライトの少なくとも一方を備え、決定手段は、携帯端末の動作状態の少なくとも一部として、画像表示手段及びバックライトの動作状態の少なくとも一方を用いることとしてもよい。
また、本発明では、決定手段の決定に従って第１の通知出力手段により出力を開始してから、予め定められた時間が経過するまでの間に、着信に対する応答操作の入力が当該携帯端末に対してなされない場合、第１の通知出力手段以外の通知出力手段である第２の通知出力手段により出力を行うこととしてもよい。
また、本発明では、携帯端末が予め定められた第１の動作状態に移行してからの経過時間を計測するカウンタを更に備え、決定手段は、携帯端末の動作状態の少なくとも一部として、カウンタのカウンタ値を用いることとしてもよい。
また、本発明では、折り畳み式の携帯端末であって、折り畳みの開閉の状態を検出する手段を備え、  第１の動作状態は折り畳みの閉状態であることとしてもよい。
また、本発明では、カウンタが計測を行っていないとき、決定手段は、携帯端末の動作状態として、カウンタのカウンタ値以外を用いることとしてもよい。
また、本発明では、カウンタが計測を行っていないとき、決定手段は、携帯端末の動作状態の少なくとも一部として、現に起動中の携帯端末の機能の種類を用いることとしてもよい。
また、本発明では、更に、画像表示手段及びバックライトの少なくとも一方を備え、カウンタが計測を行っていないとき、携帯端末の動作状態の少なくとも一部として、画像表示手段及びライトの動作状態の少なくとも一方を用いることとしてもよい。
また、本発明では、当該携帯端末への着信に応じて、または、第１の動作状態から他の状態への移行に応じて、カウンタのカウンタ値をリセットすることとしてもよい。
本願は、２００６年１１月２７日出願の日本国特許出願２００６−３１８６７２を基礎とするものであり、同特許出願の開示内容は全て本願に組み込まれる。
【図１】
2008065844.tif 000003
【図２】
2008065844.tif 000004
【図３】
2008065844.tif 000005
【図４】
2008065844.tif 000006
【図５】
2008065844.tif 000007
【図６】
2008065844.tif 000008
【図７】
2008065844.tif 000009
【国際調査報告】
2008065844.tif 000010
2008065844.tif 000011
2008065844.tif 000012
2008065844.tif 000013